(57)【要約】【課題】敷地に対して許される範囲内で、建物を大きく形成しても、玄関のポーチ、テラス、バルコニー等用の屋根が隣地と干渉することなく、しかも、建物の周囲にテラス、庭、駐車場等のための場所を確保することができる建物を提供する。【解決手段】建物本体１は、平面視において中央部１０から外側四方向に突出する４つの突出部４〜７を備えた平面視略十字形状に形成されており、屋根２は平面視において前記４つの突出部４〜７が内側に位置するような平面視四角形状に形成されている。したがって、敷地に対して許される範囲内で、建物を大きく形成しても、玄関のポーチ、テラス、バルコニー等用の屋根２が隣地と干渉するのを防止できる。【選択図】図６
2005226263.tif 000002
【特許請求の範囲】
【請求項１】
建物本体と、この建物本体の上部に設けられる屋根とを備えた建物であって、
前記建物本体は、平面視において中央部から外側四方向に突出する４つの突出部を備えた平面視略十字形状に形成されており、
前記屋根は平面視において前記４つの突出部が内側に位置するような平面視四角形状に形成されていること特徴とする建物。
【請求項２】
請求項１に記載の建物において、
少なくとも一つの前記突出部は、その先端壁が建物の敷地境界に近接して配置されていることを特徴とする建物。
【請求項３】
請求項１または２に記載の建物において、
前記建物本体の２階以上には、少なくとも一つのバルコニーが前記突出部の側壁に面して配置されていることを特徴とする建物。
【請求項４】
請求項１〜３のいずれか一項に記載の建物において、
少なくとも一つの前記突出部の側壁に、掃出し窓が設けられていること特徴とする建物。
【請求項５】
請求項１〜４のいずれか一項に記載の建物において、
少なくとも一つの前記突出部の側壁に、玄関扉が設けられていること特徴とする建物。
【発明の詳細な説明】
【技術分野】
【０００１】
本発明は、建物本体が平面視において十字形状の建物に関する。
【背景技術】
【０００２】
住宅等の建物は、建物本体の上部に屋根を設けた構成となっている。建物本体は通常平面視で、略四角形状に形成されている。
建物本体の上部に設ける屋根は、切妻屋根、寄棟屋根、方形屋根等、複数種類あるが、平面視では略四角形状になっている。そして、建物本体上に屋根を設ける場合、例えば特許文献１に記載のように、平面視において建物本体より若干大きめの四角形状の屋根を設けている。
【特許文献１】特開平７−１８０３７３号公報
【発明の開示】
【発明が解決しようとする課題】
【０００３】
ところで、住宅等の建物において、玄関のポーチ、テラス、バルコニー等に屋根を設ける場合、建物の外壁に庇を設けたり、建物の屋根の軒の出を大きくとることによって、玄関のポーチ、テラス、バルコニー等の屋根を兼ねる場合がある。しかし、住宅を建てる敷地が狭い場合、庇を取り付けたり、屋根の軒の出を大きくとると、これらが隣地と干渉してしまう場合があった。
また、敷地に対して許される範囲内で、建物を大きく形成すると、建物の周囲にテラス、庭、駐車場等のための場所を確保するのが困難である。
【０００４】
本発明は上記事情に鑑みてなされたもので、敷地に対して許される範囲内で、建物を大きく形成しても、玄関のポーチ、テラス、バルコニー等用の屋根が隣地と干渉することなく、しかも、建物の周囲にテラス、庭、駐車場等のための場所を確保することができる建物を提供することを課題としている。
【課題を解決するための手段】
【０００５】
上記課題を解決するために、請求項１に記載の発明は、例えば図１〜図９に示すように、建物本体１と、この建物本体１の上部に設けられる屋根２とを備えた建物であって、
前記建物本体１は、平面視において中央部１０から外側四方向に突出する４つの突出部４〜７を備えた平面視略十字形状に形成されており、
前記屋根２は平面視において前記４つの突出部４〜７が内側に位置するような平面視四角形状に形成されていることを特徴とする。
【０００６】
請求項１に記載の発明によれば、建物本体１が４つの突出部４〜７を備えた平面視略十字形状に形成されているので、隣り合う突出部の間に、テラス、庭、駐車場、ポーチ４１，４２、バルコニー４０等のための場所を確保することができる。
そして、屋根２は平面視において前記４つの突出部４〜７が内側に位置するような平面視四角形状に形成されているので、この屋根２が、隣り合う突出部の間にある場所用の屋根を兼ねることになる。したがって、敷地に対して許される範囲内で、建物を大きく形成しても、玄関のポーチ、テラス、バルコニー等用の屋根２が隣地と干渉するのを防止できる。
また、隣り合う突出部間に壁を設けることによって、建物本体１の外側に屋根付きの新たな部屋を設けることができる。この場合、１階では新たにデッキ等の床を敷設するのが望ましい。また、２階以上ではバルコニー４０の床があるので、新たに床を敷設しなくてもよい。
【０００７】
請求項２に記載の発明は、請求項１に記載の建物において、
少なくとも一つの前記突出部（例えば突出部５，７）は、その先端壁５ａ，７ａが建物の敷地境界に近接して配置されていることを特徴とする。
【０００８】
請求項２に記載の発明によれば、突出部５，７の先端壁５ａ，７ａが建物の敷地境界に近接して配置されているので、建物本体１を可能な限り大きく形成でき、しかも、屋根２は突出部５，７の先端壁５ａ，７ａに対してほぼ軒の出ゼロにできるので、この屋根２が敷地境界隣の隣地と干渉するのを防止できる。
【０００９】
請求項３に記載の発明は、請求項１または２に記載の建物において、
前記建物本体１の２階以上には、少なくとも一つのバルコニー４０，４０が前記突出部５，７の側壁５ｄ，７ｄに面して配置されていることを特徴とする。
【００１０】
請求項３に記載の発明によれば、建物本体１の２階以上には、バルコニー４０，４０が突出部５，７の側壁５ｄ，７ｄに面して配置されているので、建物本体１の屋根２によってこのバルコニー４０，４０の屋根を兼ねることができ、バルコニー専用の屋根を別途形成する必要がない。
【００１１】
請求項４に記載の発明は、請求項１〜３のいずれか一項に記載の建物において、少なくとも一つの前記突出部（例えば突出部５，７）の側壁５ｄ，７ｄに、掃出し窓５ｅ，５ｆ，７ｅ，７ｆが設けられていること特徴とする。
【００１２】
請求項４に記載の発明によれば、突出部５，７の側壁５ｄ，７ｄに、掃出し窓５ｅ，５ｆ，７ｅ，７ｆが設けられているので、この突出部５，７と、それに隣り合う突出部４の間に設けられた、テラス、庭、駐車場、バルコニー４０，４０等に容易に出入りでき、また、その際に建物本体１の屋根２によって雨を凌ぐことができる。
【００１３】
請求項５に記載の発明は、請求項１〜４のいずれか一項に記載の建物において、少なくとも一つの前記突出部（例えば突出部６）の側壁６ｄに、玄関扉６ｅが設けられていることを特徴とする。
【００１４】
請求項５に記載の発明によれば、突出部６の側壁６ｄに、玄関扉６ｅが設けられているので、この突出部６と、それに隣り合う突出部５の間に設けられた、玄関ポーチ４１に容易に出入りでき、また、その際に建物本体１の屋根２によって雨を凌ぐことができる。
【発明の効果】
【００１５】
請求項１に記載の発明によれば、建物本体が４つの突出部を備えた平面視略十字形状に形成されているので、隣り合う突出部の間に、テラス、庭、駐車場、ポーチ、バルコニー等のための場所を確保することができる。
そして、屋根が、隣り合う突出部の間にある場所用の屋根を兼ねることになるので、敷地に対して許される範囲内で、建物を大きく形成しても、玄関のポーチ、テラス、バルコニー等用の屋根が隣地と干渉するのを防止できる。
また、隣り合う突出部間に壁を設けることによって、建物本体の外側に屋根付きの新たな部屋を設けることができる。
【００１６】
請求項２に記載の発明によれば、突出部の先端壁が建物の敷地境界に近接して配置されているので、建物本体を可能な限り大きく形成でき、しかも、屋根は突出部の先端壁に対してほぼ軒の出ゼロにできるので、この屋根が敷地境界隣の隣地と干渉するのを防止できる。
【００１７】
請求項３に記載の発明によれば、バルコニーが突出部の側壁に面して配置されているので、建物本体の屋根によってこのバルコニーの屋根を兼ねることができ、バルコニー専用の屋根を別途形成する必要がない。
【００１８】
請求項４に記載の発明によれば、突出部の側壁に掃出し窓が設けられているので、この突出部間に設けられた、テラス、庭、駐車場、バルコニー等に容易に出入りでき、また、その際に建物本体の屋根によって雨を凌ぐことができる。
【００１９】
請求項５に記載の発明によれば、突出部の側壁に、玄関扉が設けられているので、この突出部間に設けられた、玄関ポーチに容易に出入りでき、また、その際に建物本体の屋根によって雨を凌ぐことができる。
【発明を実施するための最良の形態】
【００２０】
以下、図１〜図９を参照して本発明の実施の形態について説明する。
これらの図に示す建物は、壁や床、屋根といった構成要素を予め工場にてパネル化しておき、施工現場でこれらのパネルを組立てることにより、住宅等の建物を構築するといったパネル工法で構築された２階建ての建物であり、建物本体１と、この建物本体１の上部に設けられる屋根２とを備えている。
【００２１】
建物本体１は、平面視において中央部１０から外側四方向に突出する４つの突出部３，４，５，６を備えた平面視略十字形状に形成されている。
建物本体１の１階においては、図６に示すように、突出部５内に調理台８ａを備えた食堂８が設けられている。突出部４と中央部１０と突出部７は連通しており、これらの内部には、居間１１が設けられている。また、居間１１と食堂８も連通している。
また、突出部６内には、玄関１２と玄関ホール１３と１階から２階に至る階段１４とが設けられている。また、玄関ホール１３に隣接してトイレ１５が設けられている。突出部６と中央部１０とは内壁によって仕切られているが、この内壁には玄関ホール１３と居間１１との間を行き来するための開口部が形成され、この開口には図示しないドアが設けられている。
【００２２】
建物本体２の２階においては、図７に示すように、突出部５内と突出部７内とにそれぞれ部屋２０と部屋２１が設けられており、これら部屋２０，２１は中央部１０に設けられた廊下２２によって連通されている。また、突出部４内は、１階の居間１１の一部が吹き抜けた吹き抜け空間２３となっている。さらに、突出部６内には、前記階段１４、洗面室２４、浴室２５、トイレ２６が設けられている。
【００２３】
また、前記突出部４内には、２階の床からスキップ床３０に至る階段２７が設けられている。このスキップ床３０は、図８および図９に示すように、２階の床に対して所定高さ（１１００ｍｍ程度）だけ高い位置に設けられたものであり、このスキップ床３０の上方空間が小屋裏空間３５と連通している。
【００２４】
また、スキップ床３０の上方空間以外の小屋裏空間３５、すなわち、平面視においてスキップ床３０より外側の小屋裏空間３５には、収納所３６が設けられており、この収納所３６とスキップ床３０上の部屋３１が連通している。さらに、この収納所３６は平面視において、前記部屋３１の周囲の一部に配置されている。つまり、図８に示すように、部屋３１の奥側の半分を囲むようにして収納所３６が配置されている。スキップ床３０と収納所３６の床３７の高低差は、９１０ｍｍ程度になっている。
【００２５】
また、建物本体１の突出部５，７は、図６および図７に示すように、平面視四角形状に形成されており、その先端壁５ａ，７ａはそれぞれ建物の敷地境界に近接して配置されている。先端壁５ａ，７ａには、それぞれ窓５ｂ，７ｂが設けられており、これら窓５ｂ，７ｂは１階の先端壁５ａ，７ａと２階の先端壁５ａ，７ａにそれぞれ設けられている。
また、突出部４，６は、平面視四角形状に形成されており、突出部４の先端壁４ａには、その１階において横長の窓４ｂが設けられており、２階において横長の窓４ｃが設けられている。
この窓４ｃはその上辺を屋根２の軒先の位置とほぼ一致して設けられており、これによって、前記スキップ床３０上の部屋３１に採光や通風を確保できるようになっている。また、突出部６の先端壁６ａには、特に窓は設けられていないが、この先端壁６ａにも適宜窓を設けてもよい。
【００２６】
また、突出部５，７の側壁５ｄ，７ｄには、図１および図６に示すように、それぞれ１階において掃出し窓５ｅ，７ｅが設けられている。また、側壁５ｄ，７ｄの前方には、図示しないテラスのデッキがぞれぞれ設置されており、このデッキの先端部は突出部４の先端壁４ａの位置とほぼ等しいか若干外側に位置している。
また、突出部６の一方の側壁６ｄには、図４〜図７に示すように、１階において玄関扉６ｅが設けられており、他方の側壁６ｄには縦長の窓６ｆが設けられている。さらに、突出部６の一方の側壁６ｄには、２階において横長の窓６ｇが設けられ、他方の側壁６ｄには窓６ｈが設けられている。
【００２７】
建物本体１の２階には、バルコニー４０，４０が突出部５，７の側壁５ｄ，７ｄに面して配置されている。このバルコニー４０，４０の先端部は平面視において突出部４の先端壁４ａとほぼ面一に設けられている。また、側壁５ｄ，７ｄには、それぞれ、掃出し窓５ｆ，７ｆが設けられ、この掃出し窓５ｆ，７ｆからバルコニー４０，４０に出入りできるようになっている。
【００２８】
また、建物本体１の１階においては、突出部５，７のもう一方の側壁５ｄ´，７ｄ´に面してポーチ４１，４２が設けられている。このポーチ４１，４２の先端部は平面視において突出部６の先端壁６ａとほぼ面一に設けられている。また、側壁５ｄ´には窓５ｇが設けられている。
さらに、ポーチ４１，４２の前方には、図２および図６に示すように、略Ｅ字型を寝かせた形状の門４５が設けられている。この門４５は左右両端部に位置する柱部４５ａ，４５ａと、中央部に位置する中央壁４５ｂと、柱４５ａ，４５ａ間に架設された梁部４５ｃとから構成されており、梁部４５ｃの上辺の高さ方向の位置は建物本体１の１階と２階の境界部の位置とほぼ一致している。また、上記のように構成された門４５の左右の開口４５ｄ，４５ｄは、前記ポーチ４１，４２の前方に位置している。
ポーチ４１は玄関ポーチと駐車場を兼用しており、ポーチ４２は駐車場とされている。
【００２９】
建物本体１の上部に設けられた屋根２は、図３に示すように、寄棟屋根であり、平面視において前記４つの突出部４，５，６，７が内側に位置するような平面視四角形状に形成されている。
つまり、平面視において屋根２の４つの軒先は、建物本体１の突出部４，５，６，７のそれぞれの先端壁４ａ，５ａ，６ａ，７ａとほぼ一致しているか、若干突出しており、これによって屋根２は軒の出ゼロとなっている。また、前記ポーチ４１，４２の側部には、支柱４６，４６が立設されており、該支柱４６，４６によって屋根２の軒先部が支持されている。
【００３０】
このような屋根２は、隣り合う突出部５，６間および突出部６，７間にあるポーチ４１，４２にかかっており、該ポーチ４１，４２の屋根を兼用している。同様に、隣り合う突出部４，５間および突出部５，７間にあるバルコニー４０，４０にかかっており、該バルコニー４０，４０の屋根を兼用している。
また、屋根２の頂部にはドーマ型の天窓２ａが設けられており、この天窓２ａによって前記小屋裏空間３５への採光を確保できるようになっている。
【００３１】
（１）建物本体１が４つの突出部４〜７を備えた平面視略十字形状に形成されているので、隣り合う突出部５，６間および突出部６，７間に、それぞれ駐車場を兼ねた玄関ポーチ４１、駐車場としてのポーチ４２を確保できる。また、隣り合う突出部４，５間および５，７間においては、２階においてバルコニー４０，４０を確保でき、１階においてテラスや庭を確保できる。
そして、屋根２は平面視において４つの突出部４〜７が内側に位置するような平面視四角形状に形成されているので、この屋根２が、隣り合う突出部の間にある場所（ポーチ４１，４２、バルコニー４０，４０、テラス、庭）用の屋根を兼ねることになる。したがって、敷地に対して許される範囲内で、建物を大きく形成しても、玄関のポーチ４１、駐車場としてのポーチ４２、テラス、バルコニー４０，４０等用の屋根が隣地と干渉するのを防止できる。
【００３２】
（２）また、隣り合う突出部間に壁を設けることによって、建物本体１の外側に屋根付きの新たな部屋を設けることができる。この場合、１階では突出部４，５間および突出部４，７間にあるテラスに平面視においてＬ字状の壁を設け、この壁を突出部５の先端壁５ａ、突出部４の先端壁４ａ、突出部７の先端壁７ａに連結することによって、このテラスを新たな部屋とすることができる。また、２階では同様にしてバルコニー４０，４０に、平面視においてＬ字状の壁を設け、この壁を突出部５の先端壁５ａ、突出部４の先端壁４ａ、突出部７の先端壁７ａに連結することによって、バルコニー４０，４０を新たな部屋とすることができる。
【００３３】
（３）突出部５，７の先端壁５ａ，７ａが建物の敷地境界に近接して配置されているので、建物本体１を可能な限り大きく形成でき、しかも、屋根３は突出部５，絵７の先端壁５ａ，７ａに対してほぼ軒の出ゼロであるので、この屋根２が敷地境界隣の隣地と干渉するのを防止できる。
【００３４】
（４）建物本体１の２階には、バルコニー４０，４０が突出部５，７の側壁５ｄ，７ｄに面して配置されているので、建物本体１の屋根２によってこのバルコニー４０，４０の屋根を兼ねることができ、バルコニー専用の屋根を別途形成する必要がない。
（５）突出部５，７の側壁５ｄ，７ｄに、１階においては掃出し窓５ｅ，７ｅが設けられ、２階においては掃出し窓５ｆ，７ｆが設けられているので、この突出部５，７と、それに隣り合う突出部４の間に設けられた、テラスやバルコニー４０，４０に容易に出入りでき、また、その際に建物本体１の屋根２によって雨を凌ぐことができる。
【００３５】
（６）突出部６の側壁６ｄに、玄関扉６ｅが設けられているので、この突出部６と、それに隣り合う突出部５の間に設けられた、駐車場兼用の玄関ポーチ４１に容易に出入りでき、また、その際に建物本体１の屋根２によって雨を凌ぐことができる。
（７）建物本体１に２階の床より高いスキップ床３０が設けられているが、このスキップ床３０の上方空間は小屋裏空間３５と連通しているので、スキップ床３５上に上方空間が広い部屋３１を設けることができる。
【００３６】
（８）スキップ床３０の上方空間以外の小屋裏空間３５に収納所３６が設けられており、この収納所３６とスキップ床３０上の部屋３１が連通しているので、部屋３１から物品を収納所３６に容易に収納でき、また、収納所３６から物品を容易に取り出すことができる。
（９）部屋３１の奥側の半分を囲むようにして収納所３６が配置されているので、収納所３６を大型のものとすることができる。さらに、収納所３６が大型であり、スキップ床３０と収納所３６の床３７の高低差が９１０ｍｍ程度になっているので、この床３７にマットレス等を敷くことによって、床３７上で仮眠や睡眠をとることができる。
【００３７】
なお、上記実施の形態では、建物本体１をパネル工法で構築したものとしたが、これに限らず、在来工法、ツーバイフォー工法、ユニット工法等によって構築してもよい。ユニット工法による場合は、突出部４〜７をそれぞれ建物ユニットによって容易に構築できる。この場合、各突出部ごとに、１階用の建物ユニット上に２階用の建物ユニットを積重ねて連結するのが望ましい。なお、建物ユニットは、四隅に立設された４本のと、これら柱の上端部間に架設された４本の上梁と、前記柱の下端部間に架設された４本の下梁を有する骨組みを備えてほぼ箱形に形成されたものである。
【図面の簡単な説明】
【００３８】
【図１】本発明に係る建物の一例を示すもので、建物の正面図である。
【図２】同、背面図である。
【図３】同、平面図である。
【図４】同、右側面図である。
【図５】同、左側面図である。
【図６】同、図１におけるＡ−Ａ断面図である。
【図７】同、図１におけるＢ−Ｂ断面図である。
【図８】同、図１におけるＣ−Ｃ断面図である。
【図９】同、建物の縦断面図である。
【符号の説明】
【００３９】
１  建物本体
２  屋根
４〜７  突出部
５ａ，７ａ  先端壁
５ｄ，６ｄ，７ｄ  側壁
５ｅ，５ｆ，７ｅ，７ｆ  掃出し窓
６ｅ  玄関扉
１０  中央部
４０  バルコニー
４１，４２  ポーチ
【図１】
2005226263.tif 000003
【図２】
2005226263.tif 000004
【図３】
2005226263.tif 000005
【図４】
2005226263.tif 000006
【図５】
2005226263.tif 000007
【図６】
2005226263.tif 000008
【図７】
2005226263.tif 000009
【図８】
2005226263.tif 000010
【図９】
2005226263.tif 000011